(57)【特許請求の範囲】
【請求項１】
水平な軸の回りに回転し、端部が開放されている洗濯物収容用の回転ドラムと、該回転ドラムを収容し、側壁に前記端部に対向する第１の開口を有する水槽と、該水槽を収容して弾性支持し、側壁に前記第１の開口に対向する第２の開口を有する外箱と、前記第２の開口を閉じるドアと、一端が前記第１の開口を取り囲むように前記水槽の側壁に密着して取り付けられ、他端が前記第２の開口を取り囲むように前記外箱の側壁に取り付けられ、前記ドアが閉じられたときにドアに密着して前記水槽内部を外界から密閉する筒状のドアパッキンより成るドラム式洗濯機のドアパッキンの取り付け方法において、
前記ドアパッキンの前記水槽の側壁に取り付けられる端部を、前記第２の開口の方向に向かう折り返しを有する断面略コの字の形状とし、前記ドアパッキンの端部を囲む環状の取り付け部材の内縁に形成したリブを前記折り返しの溝に入れることにより、前記ドアパッキンと前記取り付け部材とを仮嵌合した状態で、前記取り付け部材を前記水槽の側壁に固定するとともに、前記取り付け部材のリブにより前記端部を前記第２の開口の方向から前記水槽の側壁に向けて押圧することにより、前記ドアパッキンを前記水槽の側壁に密着して取り付けることを特徴とするドラム式洗濯機のドアパッキンの取り付け方法。
【請求項２】
前記取り付け部材は複数片から成り、これら複数片を連ねて前記ドアパッキンの端部を囲むことを特徴とする請求項１に記載のドラム式洗濯機のドアパッキンの取り付け方法。
【請求項３】
前記水槽の前記第１の開口の周囲の側壁面に二重のリブを設け、該二重のリブの溝に前記ドアパッキンの端部を挿嵌して、前記ドアパッキンを前記水槽の側壁に取り付けることを特徴とする請求項１に記載のドラム式洗濯機のドアパッキンの取り付け方法。
【請求項４】
前記ドアパッキンの端部に、前記取り付け部材の所定部位に当接または係合する凸部または凹部を設けて、前記折り返しの溝における前記取り付け部材の位置を規定することを特徴とする請求項１に記載のドラム式洗濯機のドアパッキンの取り付け方法。
【請求項５】
前記水槽の前記第１の開口の周囲の側壁面に、前記取り付け部材の所定部位に当接または係合する凸部または凹部を設けて、前記水槽の側壁面における前記取り付け部材の位置を規定することを特徴とする請求項１に記載のドラム式洗濯機のドアパッキンの取り付け方法。
【請求項６】
前記回転ドラム内の洗濯物を乾燥させる手段を備えたドラム式洗濯機の請求項１に記載のドアパッキンの取り付け方法。
【発明の詳細な説明】
【０００１】
【発明の属する技術分野】
本発明は、外箱内に弾性支持された水槽と、水槽内に設けられ水平軸を中心に回転する洗濯物収容用の回転ドラムと、外箱と水槽に設けられた衣類投入口を水密的に接続するドアパッキンとを備えたドラム式洗濯機およびドラム式乾燥洗濯機に関する。
【０００２】
【従来の技術】
従来から水平軸を中心に回転する横型のドラム式洗濯機は、数多く提案されており、また、欧州において使用されている洗濯機は、この種のドラム式がほとんどである。この形式の洗濯機は一般に回転ドラムを低速で連続回転して洗濯作業を行うが、この回転ドラムを用いて脱水、乾燥までも容易に行えるようになっている。
【０００３】
従来のドラム式乾燥洗濯機の構造と動作の概略を、図１６及び図１７に示す縦断正面図及び縦断側面図にしたがって説明する。このドラム式乾燥洗濯機は外箱１の内側に運転中の振動を吸収するため、スプリング２５、及びショックアブソーバ２６により懸架された水を溜めるための水槽４と、この水槽４の内側で水平軸を中心に回転するように配されたドラム２との二重構造となっている。
【０００４】
１９は操作・表示部であり、この裏側に制御装置２０が取り付けられている。水槽４は洗濯液や脱水液を貯え、かつ、排出する機能を有している。ドラム２はその周壁全体に洗濯時の給水、脱水時の排水及び乾燥時の温風を通過させるために多数の小孔が設けられている。水槽４の上部には乾燥ユニット１３が取り付けられている。１６はドラム２を回転させるための駆動モータであり、１１は洗濯水等を機外に排出するための排水ポンプである。２４は水槽４と排水ポンプ１１の間の配管経路に設けられた糸屑フィルタである。本体正面には洗濯物を出し入れするための開口部を開閉するドア２２が設けられている。
【０００５】
図１８は従来のドラム式乾燥洗濯機のドアパッキン２３と水槽４との固定方法を示す縦断側面図である。ドアパッキン２３は水槽４と外箱１を接続し、水槽４の振動が外箱１に伝わるのを抑えるとともに、ドア２２とシールされる構造で水密的に保持される。
【０００６】
図１８に示すように、ドアパッキン２３は、水槽４の衣類投入口の口縁４１ａに形成された折り返し４２にドアパッキンの溝２３３を全周にわたって嵌め込んでいき、外側よりばねの弾性を利用した固定部材５１により挟持固定されている。２８はコンクリートや鉄の鋳物で作られたバランスウエイトである。
【０００７】
また、特開平４−２３６９８６号公報には、トップローディングタイプのドラム式洗濯機の角筒状のゴムパッキンが開示されている。図１９に示すように、このパッキング２３は、固定部材５２によって水槽４の口縁に取り付けられている。
【０００８】
また、図２０に示す実開昭６１−２８８８号公報のように、水槽４及び回転ドラム２の衣類投入口をほぼ同径とし、水槽４の衣類投入口の内方周縁に、水槽４及び回転ドラム２の各衣類投入口間を覆うドアパッキン２３を装着したものもある。
【０００９】
【発明が解決しようとする課題】
しかしながら、このような従来のドラム式乾燥洗濯機においては、ドアパッキンが破れるなどといった不具合が発生し、サービス時にドアパッキンを交換する場合には、多大な労力を要していた。その理由は、ドアパッキンを半径方向に広げながら、水槽口縁部の折り返し４２にドアパッキンの嵌合溝２３３を全周にわたって嵌め込んでいく必要があり、慣れを要したからである。
【００１０】
さらに、水槽の前面部にバランスウエイトが取り付けられていた場合など、バランスウエイトとドアパッキン固定部との隙間が少ないからである。サービス時など、バランスウエイトを取り付けたまま、水槽口縁部の折り返しにドアパッキンの嵌合溝を挿入するには、手が入るスペースが少ないだめに、ドアパッキンを半径方向に広げながら、全周にわたって嵌め込んでいくことは特に困難であった。また、固定部材の装着時も手が入るスペースが少ないために同様に取り付けが困難であった。
【００１１】
また、ドアパッキンの水槽に近い内周面には、衣類を入れてドラムを回転した際に、衣類がドアパッキンの水槽側終端部の内周面を擦り、ドアパッキンが衣類との摩擦によって摩耗し、さらには、破れを起こし水漏れに至るという問題があった。
【００１２】
本発明は、上記問題に鑑みてなされたものであり、ドアパッキンの交換作業が容易でドアパッキンが損傷し難いドラム式洗濯機を提供することを目的とし、特に、ドラム式洗濯機へのドアパッキンの簡便な取り付け方法を提供することを目的とする。
【００１３】
【課題を解決するための手段】
本発明は、水平な軸の回りに回転し、端部が開放されている洗濯物収容用の回転ドラムと、回転ドラムを収容し、側壁に前記端部に対向する第１の開口を有する水槽と、水槽を収容して弾性支持し、側壁に第１の開口に対向する第２の開口を有する外箱と、第２の開口を閉じるドアと、一端が第１の開口を取り囲むように水槽の側壁に密着して取り付けられ、他端が第２の開口を取り囲むように外箱の側壁に取り付けられ、ドアが閉じられたときにドアに密着して水槽内部を外界から密閉する筒状のドアパッキンより成るドラム式洗濯機を対象とする。
【００１４】
そして、上記目的を達成するために、ドアパッキンの水槽の側壁に取り付けられる端部を、第２の開口の方向に向かう折り返しを有する断面略コの字の形状とし、ドアパッキンの端部を囲む環状の取り付け部材の内縁に形成したリブを折り返しの溝に入れることにより、ドアパッキンと取り付け部材とを仮嵌合した状態で、取り付け部材を水槽の側壁に固定するとともに、取り付け部材のリブにより端部を第２の開口の方向から水槽の側壁に向けて押圧することにより、ドアパッキンを前記水槽の側壁に密着して取り付けるようにする。
【００１５】
この方法では、ドアパッキンをそのままの形状で水槽の側壁に取り付けることが可能であり、取り付けに際してドアパッキンを広げる必要がない。しかも、取り付け部材は、例えばネジにより、水槽の側壁面に対して垂直な方向から固定することができるから、第１の開口の周囲に広い空間がないときでも、取り付け作業や取り外し作業が容易である。しかも、取り付け部材のリブをドアパッキン端部の折り返しの溝にあらかじめ嵌め込んでおき、その状態で取り付け部材を水槽の側壁に固定するようにしているため、ドアパッキンの水槽への取り付け作業が一層容易になる。
【００１６】
このドアパッキンは比較的簡単な形状であり、射出成型によって製造することができる。また、樹脂水槽の場合であれば、単純な上下抜きのみでドアパッキン取り付け部を形成することができ、成型用の金型の構造も簡単になる。しかも、第１の開口を有する側壁に、ボスその他の機能構造物を一体成型で形成することができる。
【００１７】
ドアパッキンの端部を囲んで押圧する取り付け部材は、単一の部材でもよく、複数片で構成してもよい。複数片で構成すると、かさ張ることがなく反りも生じ難くなって、保管が容易になる。
【００１８】
水槽の第１の開口の周囲の側壁面に二重のリブを設け、この二重のリブの溝にドアパッキンの端部を挿嵌して、ドアパッキンを水槽の側壁に取り付けるようにするとよい。ドアパッキンと水槽の側壁とを確実に密着させることができる上、取り付け作業が容易になる。
【００１９】
ドアパッキンの端部に、取り付け部材の所定部位に当接または係合する凸部または凹部を設けて、これにより、折り返しの溝における取り付け部材の位置を規定するとよい。取り付け部材を複数片とする場合でも、それらの相互位置にズレが生じることを防止することができて、水槽の側壁への固定が容易になる。
【００２０】
水槽の第１の開口の周囲の側壁面に、取り付け部材の所定部位に当接または係合する凸部または凹部を設けて、水槽の側壁面における取り付け部材の位置を規定するようにしてもよい。水槽に対する取り付け部材の位置が定まり、水槽の側壁への取り付け部材の固定が容易になる。
【００２５】
上記方法は、回転ドラム内の洗濯物を乾燥させる手段を備えるドラム式乾燥洗濯機にも適用することができる。
【００２６】
【発明の実施の形態】
以下、本発明のドラム式洗濯機について図面を参照して説明する。第１の実施形態であるドラム式乾燥洗濯機の構造を図１及び図２に示す。図１はドラム式乾燥洗濯機の全体の概略構造を示す縦断正面図、図２はその縦断側面図である。
【００２７】
これらの図において、１は外箱、２は回転ドラム、３は撹拌バッフル、４は水槽、５は給水用ホース、６は給水弁、６１、６２は水管路、７は熱交換器、８は排水ダクト、９はフィルターケース、１０は循環ポンプ、１１は排水ポンプ、１２は排水ホース、１３は乾燥ユニット、１３１は送風ファン、１３２はヒータ、１３３は送風ダクト、１４は回転軸、１５はドラムプーリ、１６はモータ、１７はベルト、１８は排気ダクト、１９は操作パネル、２０は制御装置、２１は洗剤ケース、２２はドア、２３はドアパッキン、２４はフィルター、２５はスプリング、２６はショックアブソーバである。
【００２８】
ドラム式乾燥洗濯機は、外箱１内に軸方向が短い、ほぼ円柱形状の回転ドラム２と水槽４とが設けられる。回転ドラム２は水平方向にほぼ沿って回転軸１４が配設され、回転軸１４に沿った方向の一端部（回転軸は反対側端部）が開放されている。この端部に対向する水槽４の側壁および外箱１の側壁には、それぞれ、衣類を回転ドラム２に投入するための開口４１および４０が形成されており、外箱にはドア２２が設けられている。２３はドアパッキンであり、ゴムなどの弾性体からなるシール材として内嵌されている。水槽４は、運転中の振動を吸収するため、スプリング２５及びショックアブソーバ２６により弾性支持されており、これにより外箱１に伝わる振動を減衰させる構成である。
【００２９】
回転ドラム２は、洗濯物を収容して回転するものであって、回転ドラム２内には、中心軸に向けて突出する山脈状に撹拌バッフル３が形成されている。水槽４の中心部を貫通してドラム２内の回転中心であって投入口の反対側端部に、水平な回転軸１４が固定配置されている。水槽４の下端部にはドラム駆動用モータ１６が設けられており、このモータ１６の回転軸とドラムプーリ１５をベルト１７で連結している。また、外箱１の上部には操作パネル１９と制御装置２０が固定されており、外部より操作パネル１９を操作して制御装置２０に指示を与えることができる。
【００３０】
水槽４は回転ドラム２を囲んで設けられ、洗濯水（洗剤を含む水、すすぎ水も含む）をためるものである。水槽４には、水道に接続された給水用ホース５、給水弁６、水管路６１、洗剤ケース２１および流路２１１を介して水道水が供給され、その供給と停止は給水弁６の開閉により制御される。給水弁６内部には、乾燥・除湿用の冷却水を熱交換器７内にシャワー状に浴びせられるように、熱交換器７内に水道水を送る切り換え機構も備えられている。
【００３１】
水槽４の底部には水槽４内の洗濯水を排出する排水ダクト８が設けられ、この排水ダクト８は、排出された洗濯水に含まれる糸屑やゴミ等の挟雑物を除去するフィルターケース９につながり、フィルター２４により糸屑やゴミ等は除去される。フィルターケース９には、洗濯水を水槽４内に循環させる循環ポンプ１０と、水槽４内の洗濯水を機外に排出するための排水ポンプ１１が接続されている。
【００３２】
水槽４内にためられた洗濯水を循環させるときには、水槽４内の洗濯水は排水ダクト８からフィルターケース９内のフィルター２４を通り、挟雑物が除去された後に循環ポンプ１０により水槽４内に返される。循環ポンプ１０からは水槽４の投入口４１付近のドアパッキン２３に開口する循環ホース１０１により洗濯水が水槽４内に返される。また、水槽４内の洗濯水を排水するときには、フィルターケース９より分岐した排水ポンプ１１から、洗濯水が排水ホース１２を通り機外に排出されるようになっている。
【００３３】
洗濯物を乾燥するために外箱１内には乾燥ユニット１３と熱交換器７とが設けられている。熱交換器７は、一端部が水槽４側面と連通した排気ダクト１８に接続され、他端部は水槽４の上部の乾燥ユニット１３内の送風ファン１３１ヘと接続される。また、乾燥ユニット１３は、熱交換器７の終端部で、空気流路の途中に設けられていて、送風ファン１３１、ヒータ１３２、ヒータ１３２を収納し空気流路となる送風ダクト１３３から構成されるものである。
【００３４】
ドアパッキン２３と水槽４との接続部分の詳細断面図を図３に示す。ドアパッキン２３は、ゴムなどの弾性体からなるシール材として内嵌されている。したがって、ドア２２が閉じたときには、ドア２２の周縁部と投入口４０の内周縁部４０ａとで前記シール材が挟圧されて、外箱１及び水槽４の水密が保持されるようになっている。そして、ドア２２と水槽４との間に円筒部を形成することにより、衣類投入経路２３１を形成している。
【００３５】
ドアパッキン２３の水槽側の終端部２３２は全周にわたり、外箱１方向への折り返し２３２ｂを有するコの字形の断面形状とされている。一方、水槽４の衣類投入口４１の周縁部４１ａには円周状の二重のリブ４４が形成されており、ネジ受け穴を有するボス４３がリブ４４に沿って数カ所に設けられている。水槽４のドアパッキン２３との接続部の正面図を図６に示す。
【００３６】
ドアパッキン２３の終端部２３２を水槽４の二重のリブ４４の溝に嵌合させ、終端部２３２の折り返しの溝２３２ａに内嵌するリブを内縁に有する固定部材２７を、水槽４のボス４３にネジ止めすることにより、ドアパッキン２３を水槽４に取り付けて、衣類投入経路２３１と水槽投入口４１とを水密的に接続する構成となっている。
【００３７】
実際の組み立て段階では、予め、固定部材２７をドアパッキン２３のコの字形の終端部２３２の溝２３２ａに仮嵌合しておくことにより、ドアパッキン２３と固定部材２７を一体物として、水槽４の口縁部４１ａに形成された円周状の二重リブ４４の間に嵌合させることができる。これにより、ドアパッキン２３を水槽４と接続したり外したりする際に、正面から作業をすることができて、口縁部の４１ａの周囲に手が入るスペースが少ない場合でも、また不慣れな作業者であっても、容易な作業が可能となる。
【００３８】
従来のドアパッキンの水槽との接続用溝２３３（図１８）は複雑な形状のうえ、その溝幅が狭いために、直圧といった製造方法しかとれなかった。この製法では１時間あたり２〜３個といった非常に悪い生産性であった。しかし、本実施形態のように終端部２３２を略コの字形の簡単な形状にすると、射出による成型が可能となり、これにより１時間あたり６〜１０個という具合にドアパッキン２３の生産性が大きく向上する。しかも、金型画数の削減ができるために、金型投資費用が削減できる。
【００３９】
また、成型時にも、無駄な単量を減らすことができるため、製品単価としてのコストダウンにもつながる。また、離型時に金型を手で分割していくといった大変な作業をする必要がないため、省力化につながる。さらに、先に述べたように、直圧で生産性を上げるためには金型の面数を増やすしかなく、設計変更時の金型改造は非常に大掛かりなものとなったが、それが必要なくなる。また、直圧では、デリバリーの問題を含めて成型業者を何社かに分散する必要があるために、品質の確保が困難であったが、品質管理も容易になる。
【００４０】
水槽４の外壁面にリブ４４を形成しこれによりドアパッキン２３と接続する構成としたことで、水槽４を樹脂で形成する場合に、水槽の製造も容易になる。図１８に示した従来の構成では、樹脂水槽の口縁部４１に折り返し４２を設けるために、金型上何分割かのスライド構造が必要となり、金型が複雑化するとともに、口縁部４１近傍を突起のない平坦な構造とせざるを得なかった。しかし、本発明の構成では、単純な上下抜きのみでドアパッキン取り付け部を形成することが可能であり、金型の構造が簡単になるうえ、衣類投入口４１の周辺部（図６のハッチングを施した領域）に、ボス４３をはじめとする任意の機能構造物を形成することができる。
【００４１】
ドアパッキン２３のコの字形の溝２３２ａに内嵌する固定部材２７は、例えば樹脂や板金のように、適度な強度を有する材料で形成する。図３は固定部材２７を樹脂で形成した例を示している。図４に固定部材２７を板金にて形成した例を示す。どちらの場合も、水槽４の前面に設けられたボス４３を利用してネジ止めし、水槽４の振動によってドアパッキン２３が水槽４から外れようとするのを押さえ込む構成である。
【００４２】
樹脂製の固定部材の変形例を図８に示す。この固定部材２７は、溝２３２ａと嵌合する反対側にも円周リブ２７１を追加し、また、水槽４とのネジ止め用のフランジ部２７２にもリブ２７３をつなげて、補強したものである。こうすることにより、荷重が加わる部分においても、簡単に断面係数を上げることができ、強度を確保することができる。
【００４３】
固定部材２７はドアパッキン２３の全周を囲むものであるが、単一の部材であってもよく、複数片を連ねてドアパッキンの全周を囲む構成としてもよい。単一の固定部材は円周状となり、複数片のそれぞれは円弧状となる。図５に、２つの部材でドアパッキンの全周を囲む場合の固定部材２７の正面図を示す。先に水槽４のリブ４４にドアパッキン２３の終端部２３２を内嵌し、その後に固定部材２７を溝２３２ａに嵌め込んで取り付けを行うとき、単一の円周状の固定部材では、ドアパッキン２３の振動吸収を目的として設けられた溝２３４を変形させながら嵌めなければならないが、円弧状の固定部材では、溝２３４を変形させることなく容易に溝２３２ａに嵌め込むことができる。
【００４４】
また、円周状の固定部材の場合、中はほとんど空洞であるにもかかわらず、衣類投入口４１の大きさに近い部品サイズとなるため、金型も成型機も大きくなるし、部品重量から見て、輸送、保管時にも大きなスペースが必要となる。しかも、樹脂製の部品であるとソリの問題が出てくる可能性がある。しかし、固定部材を複数片とすると、このような不都合が解消される。
【００４５】
ドアパッキン２３の終端部２３２を拡大して図７に示す。同図において、（ａ）は断面図、（ｂ）はその矢印Ａ方向からみた溝２３２ａの正面図である。溝２３２ａには、溝２３２ａに沿う方向の固定部材２７の位置を規定するために、半径方向に向かうリブ２３８が形成されている。複数片からなる固定部材の場合は、その端部をリブ２３８に当接させることにより、単一の固定部材の場合には、横断溝を形成してその溝をリブ２３８に嵌合させることにより、固定部材の位置を一定にする。これにより、水槽４に設けられたボス４３の全てに対しての、ドアパッキン２３および固定部材２７の位置合わせができる。
【００４６】
ドアパッキン２３には送風ダクト１３３や循環ホース１０１が接続されるために、取り付け角度が重要となるが、従来では、多少のずれは弾性で吸収するゴム部品であるということで、ドアパッキンに方向を表わす目印があるだけで、作業者が手で適当に角度を合わせる組み方であったために、精度のよい組み立てとは言えなかった。上記のように、リブ２３８を設けてドアパッキン２３と固定部材２７の間で位置決めを行うようにすると、ドアパッキン２３と固定部材２７を予め組み付けておき、その後に水槽４と固定するという方法を容易に実現することができるうえ、水槽４に対してドアパッキン２３を精度良く取り付けることが可能になる。
【００４７】
なお、ここでは溝２３２ａの内部に設けたリブ２３８により固定部材２７の位置を規定する構成としたが、例えば、溝２３２ａの外に突起を形成し固定部材に凹部を形成して、突起と凹部を係合させることで固定部材２７の位置を規定するようにしてもよい。
【００４８】
水槽４に対する固定部材２７の位置合わせをさらに容易にするために、固定部材２７にボス４３と係合する部位を設けてもよい。図９に、固定部材２７のフランジ部２７２にボス４３を囲む形状のリブ２７４を設けた例を示す。これによりドアパッキン２３の半径方向および周方向の位置が規定される。
【００４９】
取り付けに際しては、ドアパッキン２３の溝２３２ａに固定部材２７を仮嵌合させておき、一体化しておいたものを水槽４に固定する。このとき、フランジ部２７２に形成したリブ２７４を水槽前面のボス４３を囲む位置に合わせることで、すべての部品位置が一度に決定される。そして、その位置においてネジ止めを行う。
【００５０】
図１０に、他の例として、固定部材２７にピン２７５を設け、水槽前面にピン２７５が嵌合する受け部４５を形成した構成を示す。このほか、図示しないが、本例と凹凸が逆の構成としてもよいし、リブと溝で嵌合する構成としてもよい。上述の手順と同様にして、ドアパッキン２３を水槽４に容易に取り付けることができる。
【００５１】
ドアパッキン２３の水槽４に近い内周面は、ドラム２とともに回転する衣類が擦れる。このため、長期の使用によりドアパッキン２３が摩耗し、ドラムの回転による振動が加わって破損する恐れがある。この問題に対処する方策を講じた実施形態を以下に説明する。なお、以下の実施形態では、ドラム式乾燥洗濯機の全体構成およびドアパッキンの水槽への取り付け方法は上記の実施形態と同様であり、重複する説明は省略する。
【００５２】
図１１に、第２の実施形態のドアパッキン２３と水槽４の接続部分の断面図を示す。ドアパッキン２３の内周面には、樹脂コーティング２９が施されている。コーティングされている樹脂は、例えばテフロンのように、平滑性および耐摩耗性に優れたものであり、コーティング２９は損傷を受け難く、長期にわたってドアパッキン２３を保護する。なお、ここでは、ドアパッキン２３の内面全体にコーティング２９を施した例を示したが、水槽４に近い部分のみをコーティングするようにしてもよい。
【００５３】
図１２に、第３の実施形態のドアパッキン２３と水槽４の接続部分の断面図を示す。ドアパッキン２３の内周面には、平滑性および耐摩耗性に優れた樹脂シート３０が貼着されている。
【００５４】
図１３に、第４の実施形態のドアパッキン２３と水槽４の接続部分の断面図を示す。ドアパッキン２３には、平滑性および耐摩耗性に優れた樹脂、または防錆性の金属板からなる筒３１が内嵌されている。
【００５５】
図１４に、第５の実施形態のドアパッキン２３と水槽４の接続部分の断面図を示す。上記の各実施形態では、ドアパッキン２３は均質な材料で形成されていたが、本実施形態のドアパッキン２３は２種類の材料の一体成型品であり、材質は水槽４側と外箱１側とで異なる。具体的には、水槽側２３６に比較的硬く耐摩耗性に優れた材料を使用し、振動吸収用の溝２３４を含め外箱側２３７に比較的柔らかく弾性に富む材料を使用して、外箱１に振動が伝わるのを軽減しつつドアパッキン２３の摩耗を防止するようにしている。
【００５６】
図１５に、第６の実施形態のドアパッキン２３と水槽４の接続部分の断面図を示す。本実施形態では、ドア２２は、閉じられたときに、その内面２２１が衣類投入口４１を僅かに超えて水槽４の内部に入り、その側面２２２がドアパッキン２３の内面と平行になるように構成されている。回転ドラム２内の衣類は、ドア２２の内面２２１によってドアパッキン２３内に入り込むのを妨げられるから、衣類がドアパッキン２３の内面を擦ることがなく、ドアパッキン２３は摩耗しない。ドア２２の内面２２１が回転ドラム２の内部にまで入り込む構成としてもよい。
【００５７】
ドア２２の側面２２２とドアパッキン２３の内面の間隔は狭い方がよく、１０ｍｍ以下に設定している。また、ドア２２の内面２２１と側面２２２の連なる部位２２３が大きな曲率半径をもつと、衣類がドア２２とドアパッキン２３の間に入りやすくなるから、その曲率半径はできるだけ小さくするのが望ましい。ここでは、回転ドラム２の内部を観察できるようにするために、ドア２２の内面２２１にガラス成型品を使用しているが、側面２２２との連接部位２２３となる辺縁の曲率半径Ｒを、ガラス成型加工上可能な最小値としている。例えば、６〜７ｍｍの厚さのガラスの場合、内側の曲率半径を０．５ｍｍとし、外側の曲率半径Ｒを６．５〜７．５ｍｍとする。
【００５８】
なお、第１〜第５の実施形態では、回転ドラムと共に回転する衣類が、ドアパッキン２３の内面やこれに内嵌した筒３１に衝突するのを防止するために、ドアパッキン２３を円筒状とするのが好ましいが、第６の実施形態では、衣類がドアパッキン２３内に進入しないから、ドアパッキン２３を必ずしも円筒状に必要はない。例えば、ドアパッキン２３を、断面が略四角形で隣り合う面がなだらかに連接する筒状とし、これに合わせて、外箱１および水槽４の衣類投入口４０および４１を鋭い角のない略四角形の形状とし、ドア２２の側面も隣り合う面がなだらかに連接する略四角柱とすることもできる。このようにすると、衣類投入経路２３１の断面を広くすることができて衣類の出し入れが容易になり、回転する衣類がドアに引っかかる恐れもない。
【００５９】
そのような構成でも、ドアパッキン２３の終端部２３２を外箱に向かう折り返し２３２ｂのある断面略コの字型の形状とすることで、ドアパッキン２３の水槽４への取り付けをきわめて容易に行うことができる。しかも、円筒形のドアパッキンの場合にある周方向の自由度がなくなるから、水槽に対するドアパッキンの位置合わせがさらに簡単になって、取り付け作業が一層容易になる。
【００６０】
【発明の効果】
請求項１のドラム式洗濯機のドアパッキンの取り付け方法によるときは、水槽の側壁に対して正面からの力のみでドアパッキンを取り付けることができるうえ、ドアパッキンと取り付け部材を仮嵌合しておくため、作業を容易に行うことができる。特に、水槽の側壁にバランスウエイト等が設けられており、取り付け部位の周囲に手が入るスペースがない場合でも作業を行うことが可能である。また、ドアパッキンの製造方法も従来の直圧から、射出による成型が可能となるため、生産性が大きく向上する。しかも、ドアパッキンが取り付けられる水槽の壁面を上下抜きの金型で樹脂成型することができるから、水槽の生産性も向上する。
【００６１】
請求項２の方法では、ドアパッキンへの取り付け部材の装着が容易であるうえ、取り付け部材の保管や移送も容易である。
【００６２】
請求項３の方法では、ドアパッキンを水槽に確実に取り付けることができて、振動によってドアパッキンと水槽の密着性が損なわれる恐れがない。
【００６３】
請求項４の方法では、ドアパッキンに対する取り付け部材の位置合わせが容易であり、取り付け部材を複数片で構成する場合でも、ドアパッキンに全ての取り付け部材を位置ずれなく装着しておいて全体を水槽に取り付けることができる。しかも、ドアパッキンを高い精度で水槽に取り付けることができる。
【００６４】
請求項５の方法では、水槽に対する取り付け部材の位置合わせが容易である。
【００６８】
請求項６の方法は、ドラム式乾燥洗濯機への適用となる。ドラム式乾燥洗濯機では、洗濯物を乾燥する際にもドラムを回転させるから、単なる洗濯機よりもドアパッキンは損傷を受け易くなり、ドアパッキンを交換する可能性が高くなる。したがって、ドアパッキンの取り付けを容易にすることの効果は一層大きくなる。
【図面の簡単な説明】
【図１】第１の実施形態のドラム式乾燥洗濯機の全体の概略構造を示す縦断正面図。
【図２】第１の実施形態のドラム式乾燥洗濯機の全体の概略構造を示す縦断側面図。
【図３】第１の実施形態のドアパッキン取り付け部位を示す縦断側面図。
【図４】第１の実施形態のドアパッキン取り付け部位の他の例を示す縦断側面図。
【図５】第１の実施形態のドアパッキン固定部材の正面図。
【図６】第１の実施形態の水槽のドアパッキン取り付け部周辺を示す正面図。
【図７】第１の実施形態のドアパッキンの終端部を示す縦断側面図および正面図。
【図８】第１の実施形態のドアパッキン固定部材の他の例を示す断面図。
【図９】第１の実施形態のドアパッキン取り付け部位の他の例を示す縦断側面図。
【図１０】第１の実施形態のドアパッキン取り付け部位の他の例を示す縦断側面図。
【図１１】第２の実施形態のドアパッキン取り付け部位を示す縦断側面図。
【図１２】第３の実施形態のドアパッキン取り付け部位を示す縦断側面図。
【図１３】第４の実施形態のドアパッキン取り付け部位を示す縦断側面図。
【図１４】第５の実施形態のドアパッキン取り付け部位を示す縦断側面図。
【図１５】第６の実施形態のドアパッキン取り付け部位を示す縦断側面図。
【図１６】従来のドラム式乾燥洗濯機の全体の概略構造を示す縦断正面図。
【図１７】従来のドラム式乾燥洗濯機の全体の概略構造を示す縦断側面図。
【図１８】従来のドラム式乾燥洗濯機のドアパッキン取り付け部位を示す縦断側面図。
【図１９】従来のドアパッキンを示す縦断側面図。
【図２０】従来の他のドアパッキンを示す縦断側面図。
【符号の説明】
１    外箱
２    回転ドラム
３    撹捗バッフル
４    水槽
５    給水用ホース
６    給水弁
７    熱交換器
８    排水ダクト
９    フィルターケース
１０    循環ポンプ
１１    排水ポンプ
１２    排水ホース
１３    乾燥ユニット
１４    回転軸
１５    ドラムプーリ
１６    モータ
１７    ベルト
１８    排気ダクト
１９    操作パネル
２０    制御装置
２１    洗剤ケース
２２    ドア
２３    ドアパッキン
２４    フィルター
２５    スプリング
２６    ショックアブソーバ
２７    固定部材  （取り付け部材）
２８    バランスウエイト
２９    樹脂コーティング
３０    樹脂シート
３１    筒
４０    衣類投入口  （第２の開口）
４１    衣類投入口  （第１の開口）
４３    ボス  （凸部）
４４    リブ
４５    ピン受け部  （凹部）
６１    水管路
６２    水管路
１０１    循環ホース
１３１    送風ファン
１３２    ヒータ
１３３    送風ダクト
２２１    ドア内面
２２２    ドア側面
２２３    内面側面連接部
２３１    衣類投入経路
２３２    ドアパッキン端部
２３２ａ  折り返し溝
２３２ｂ  折り返し
２３４    振動吸収用環状溝
２３８    リブ  （凸部）
２７１    円周リブ
２７２    フランジ部
２７３    フランジリブ
２７４    フランジリブ
２７５    ピン
【図１】
0003560791.tif 000002
【図２】
0003560791.tif 000003
【図３】
0003560791.tif 000004
【図４】
0003560791.tif 000005
【図５】
0003560791.tif 000006
【図６】
0003560791.tif 000007
【図７】
0003560791.tif 000008
【図８】
0003560791.tif 000009
【図９】
0003560791.tif 000010
【図１０】
0003560791.tif 000011
【図１１】
0003560791.tif 000012
【図１２】
0003560791.tif 000013
【図１３】
0003560791.tif 000014
【図１４】
0003560791.tif 000015
【図１５】
0003560791.tif 000016
【図１６】
0003560791.tif 000017
【図１７】
0003560791.tif 000018
【図１８】
0003560791.tif 000019
【図１９】
0003560791.tif 000020
【図２０】
0003560791.tif 000021